(57)【要約】【課題】従来の放送機器は電波の受信状態や放送機器の状態を監視することが必要ない場合であっても、運用状態によっては２４時間連続通電となっており、上記放送機器の表示パネルのＬＥＤやＬＣＤが点灯したままとなっていた。装置の省電力化は昨今の重要課題であり、電波の受信状態や放送機器の状態の監視が不要のときは、ＦＰＵなどの表示パネル上のＬＥＤやＬＣＤを消灯させ、放送機器の省電力を図ることが望まれていた。【解決手段】放送設備に使用され、表示パネルに電波の送／受信状態、あるいは放送機器の動作状態を表示する表示器（ＬＥＤ４、１１〜１３、１５、１７、ＬＣＤ１０）を備えた放送機器１であって、放送機器１の近傍に存在する人を検知する人感センサ２３と、人感センサ２３が人の存在を検知したとき、表示パネル基板２０に備わる上記表示器の点灯状態を制御する表示器点灯状態制御手段を備えたことを特徴とする。【選択図】図２
2010273184.tif 000002
【特許請求の範囲】
【請求項１】
放送設備に使用され、表示パネルに電波の送／受信状態、あるいは放送機器の動作状態を表示する表示器を備えた放送機器であって、
前記放送機器の近傍に存在する人を検知する人物検知手段と、
前記人物検知手段が人の存在を検知したとき、前記表示パネルに備わる前記表示器の点灯状態を制御する表示器点灯状態制御手段を備えたことを特徴とする放送機器。
【発明の詳細な説明】
【技術分野】
【０００１】
本発明は、放送機器に係り、特に放送機器の省電力化技術に関する。
【背景技術】
【０００２】
テレビ放送においては、ニュース報道やマラソン中継など中継現場から放送局にテレビジョン信号を伝送するために、ＦＰＵ（Field Pickup Unit）と呼ばれる可搬型の中継装置やＴＳＬ(Transmitter
Studio Link)と呼ばれる伝送装置が用いられている。中継車などに搭載されたＦＰＵ送信機から送信された電波は山頂や高層ビルの屋上などに設置されているＦＰＵ基地局のＦＰＵ受信機で受信され、ＦＰＵ基地局からはＴＳＬ装置と呼ばれる固定回線を使って、放送局まで伝送されるのが一般的である。
【０００３】
ＦＰＵは、図６に示したように、ＦＰＵ送信機１１０の送信制御部１１１と送信高周波部１１２、送信アンテナ１１３、受信アンテナ１２１、及びＦＰＵ受信機１２０の受信高周波部１２２と受信制御部１２３で構成されるのが一般的であり、送信制御部１１１と送信高周波部１１２とを一体化し小型化した一体化送信装置も用いられる。
【０００４】
中継現場においてビデオカメラやマイクロフォンで収録した映像信号や音声信号は、ＦＰＵ送信機１１０の送信制御部１１１に入力される。送信制御部１１１は所定の変調方式で映像信号や音声信号を変調し、ＩＦ（Intermediate
Frequency）信号（中間周波数信号）に周波数変換する。送信高周波部１１２は、送信制御部１１１からのＩＦ信号をＲＦ（Radio Frequency）信号（無線周波数信号）に周波数変換し、電力増幅して送信アンテナ１１３により電波として送信する。
【０００５】
受信アンテナ１２１で受信されたＲＦ信号は、ＦＰＵ受信機１２０の受信高周波部１２２で低雑音増幅、受信レベル制御を行い、ＩＦ信号に周波数変換する。受信制御部１２３は受信高周波部１２２からのＩＦ信号を所定の復調方式で復調することにより得られた映像信号や音声信号を出力する。
【０００６】
上記送信制御部１１１と受信制御部１２３の表示パネルには、各種の状態を表示するＬＥＤ（Light Emitting Diode）やＬＣＤ（Liquid
Cristal Display：液晶表示器）などが備わっている。例えば、特許文献１に記載のように、送信制御部１１１の表示パネルにはＬＥＤやＬＣＤが備わり、伝送ビットレート、変調方式、使用するチャネルなどが設定状態やスイッチ切換状態に応じて表示され、また、受信制御部１２３にもＬＥＤやＬＣＤが備わり、伝送ビットレート、復調方式、使用するチャネルなどが設定状態やスイッチ切換状態、あるいは受信状態に応じて表示される。
また、受信基地局では電波の受信状態を監視し、受信電波から反射波の混入状態、ＢＥＲ（Bit Error Rate）、電界強度、遅延プロファイル波形などの状態信号を生成して、受信制御部１２３の表示パネルのＬＣＤなどに表示したり、あるいは放送局に信号伝送して遠隔監視制御装置のＬＣＤなどに表示し、受信アンテナ１２１あるいは送信アンテナ１１３の方向調整、チャネルの切り換え、あるいは変調方式の切り換えなどを行うために用いている。
【先行技術文献】
【特許文献】
【０００７】
【特許文献１】特開２００６−２５４１３０号公報
【発明の概要】
【発明が解決しようとする課題】
【０００８】
しかしながら、従来技術におけるＦＰＵや遠隔監視制御装置などは、常時、電源基板から通電状態にあり、電波の受信状態や放送機器の状態を監視することが必要ない場合であっても、運用状態によっては２４時間連続通電となっており、上記放送機器の表示パネルのＬＥＤやＬＣＤが点灯したままとなっていた。具体的にＦＰＵ送信機の送信制御部１１１の例を図７に示すと、表示パネル基板３０にはＣＰＵ基板２２と電源基板２１が接続され、表示パネル基板３０には複数個の警告表示ＬＥＤ１１、各モードの設定状態を示す複数個の設定モードＬＥＤ１２、レベルを数値表示する複数個の数値表示ＬＥＤ１３、ＬＣＤ１０の表示内容を切り換えるＬＣＤ表示切換ボタンの動作状態を示す複数個の動作表示ＬＥＤ１５、操作部の操作モード切換ボタンの動作状態を表示する複数個の動作表示ＬＥＤ１７、電源スイッチの切換状態を示す電源表示用ＬＥＤ４などのＬＥＤを備え、また、これらＬＥＤでは表示し切れない詳細内容などを映像で表示するＬＣＤ１０を備えている。従来技術では、上記のように、放送機器の監視が不要なとき省電力化がされておらず、監視が必要ない場合であっても表示パネル基板３０には電源基板２１からの電力が連続通電となっており、無駄な電力が消費されていた。上記ＦＰＵに限らず、装置の省電力化は昨今の重要課題であり、電波の受信状態や放送機器の状態の監視が不要のときは、ＦＰＵなどの表示パネル上のＬＥＤやＬＣＤを消灯させ、放送機器の省電力を図ることが望まれていた。
本発明の目的は、上記問題点に鑑み、上記課題を解決した放送機器を提供することにある。
【課題を解決するための手段】
【０００９】
本発明の放送機器は、放送設備に使用され、表示パネルに電波の送／受信状態、あるいは放送機器の動作状態を表示する表示器を備えた放送機器であって、前記放送機器の近傍に存在する人を検知する人物検知手段と、前記人物検知手段が人の存在を検知したとき、前記表示パネルに備わる前記表示器の点灯状態を制御する表示器点灯状態制御手段を備えたことを特徴とする。
【発明の効果】
【００１０】
本発明によれば、電波の送／受信状態、あるいは放送機器の動作状態を監視する必要があるときのみ放送機器の表示パネル上のＬＥＤやＬＣＤなどの表示器を点灯させることができるので、省電力を図ることができると共に、必要な電波の受信状態や放送機器の動作状態を監視することができる。
また、放送機器の表示パネル上のＬＥＤやＬＣＤなどの表示器が点灯しているときは、監視が必要であることがオペレータに認識されるので、従来のように漫然と表示パネル上のＬＥＤやＬＣＤなどを見ているよりも、より監視に注力することができる。
【図面の簡単な説明】
【００１１】
【図１】本発明に係る第１の実施形態の、ＦＰＵ送信機の送信制御部の表示パネルを示す図である。
【図２】本発明に係る第１の実施形態の、ＦＰＵ送信機の送信制御部の構成を示す図である。
【図３】本発明に係る第１の実施形態の、ＦＰＵ送信機の送信制御部の動作フローを示す図である。
【図４】本発明に係る第２の実施形態の、ＦＰＵ送信機の送信制御部の構成を示す図である。
【図５】本発明に係る第２の実施形態の、ＦＰＵ送信機の送信制御部の動作フローを示す図である。
【図６】従来技術の、ＦＰＵ送受信機のシステム構成を示す図である。
【図７】従来技術の、ＦＰＵ送信機の送信制御部の構成を示す図である。
【発明を実施するための形態】
【００１２】
（第１の実施形態）
次に、本発明を実施するための第１の実施形態を、図１〜３を参照して具体的に説明する。
本発明による第１の実施形態は、放送機器の近傍に人（オペレータなど）がいるとき、この人の存在を人感センサで感知して放送機器の表示パネル上に備わるＬＥＤやＬＣＤを点灯状態にし、監視が必要なく誰も人がいないときはＬＥＤやＬＣＤを消灯状態にして省電力化するものである。
まず、本発明の省電力化の対象となる放送機器としてＦＰＵ送信機の送信制御部を例に取って説明することにする。
【００１３】
図１は本発明の対象となる放送機器の一例である可搬型ＦＰＵ送信機で、送信制御部１（従来の送信制御部１１１に対応する）を示している。
図１は、送信制御部１の表示パネル面を正面から見たものである。送信制御部１の正面部には表示パネル２があり、各種操作スイッチ、各種状態を表示する表示器であるＬＥＤ、映像表示器であるＬＣＤなどが備わっている。また、２３はオペレータの存在を検知する人感センサである。なお、人感センサ２３は送信制御部１に対し外付けとして、人を検知した検知信号を送信制御部１に入力するように構成することもできる。
【００１４】
送信制御部１の操作部は、電源スイッチ３（電源スイッチ３と連動して点灯する電源表示用ＬＥＤ４が電源スイッチ３の上側に備わっている）、チャネル設定スイッチ５、変調方式設定スイッチ６、プリセットスイッチ７、送信出力切換スイッチ８、操作モード切換ボタン１６、データ入力キー９などで構成される。操作モード切換ボタン１６には、ボタンの中央にそのボタンが操作されて動作中であることを示す動作表示ＬＥＤ１７が備わっている。
チャネル設定スイッチ５は伝送する周波数チャネルを設定し、変調方式設定スイッチ６はＱＡＭ、ＯＦＤＭなどの変調方式を設定し、プリセットスイッチ７は伝送する映像信号及び音声信号の信号フォーマットや伝送レートを設定し、送信出力切換スイッチ８は送信電力を設定する。複数のキーで構成されるデータ入力キー９は、ＬＣＤ１０に表示された操作画面に従ってデータを入力するための操作キーである。
【００１５】
また、アラーム・異常を機器内部で検知した場合、警告表示する警告表示ＬＥＤ１１が表示パネル２に備わっている。この警告表示ＬＥＤ１１に対応するアラーム詳細内容をＬＣＤ１０で表示することも行われる。また、各種動作状態や設定状態を表示するため、設定モード表示ＬＥＤ１２、数値表示ＬＥＤ１３を備える。また、ＬＣＤ１０に表示する内容を切り換えるＬＣＤ表示切換ボタン１４が複数個備わり、ＬＣＤ表示切換ボタン１４には、ボタンの中央にそのボタンが操作されて動作中であることを示す動作表示ＬＥＤ１５が備わっている。
【００１６】
上記のように、送信制御部１の表示パネル２には各種のＬＥＤ、映像表示器であるＬＣＤが備わり、オペレータはこれらＬＥＤの点灯状態、ＬＣＤに表示された映像を監視して、必要な処置を行うようになっている。
【００１７】
図２は、省電力を達成するための制御回路構成を示したものである。
図２において、２０は送信制御部１の表示パネル基板であり、各種スイッチ類、複数のＬＥＤ、ＬＣＤ、及びこれらＬＥＤ、ＬＣＤの点灯状態を制御する制御回路などが搭載されている。また、２１は表示パネル基板２０に電源を供給する電源基板である。また、２２はＦＰＵ送信機の送信制御部１全体を制御しているマイクロコンピュータ（ＣＰＵ、記憶手段（ＲＯＭ、ＲＡＭ）、その他周辺回路で構成されている）が搭載されたＣＰＵ基板である。また、２３は人感センサである。
【００１８】
人感センサ２３の検知信号は信号線などによりＣＰＵ基板２２に入力されている。ＣＰＵ基板２２に備わるマイクロコンピュータは、人感センサ２３からの検知信号に応じて表示パネル基板２０にＬＥＤ、ＬＣＤの制御信号を送る。そして、表示パネル基板２０の制御回路はＣＰＵ基板２２からの制御信号を受けてＬＥＤ、ＬＣＤの点灯状態を制御する。
【００１９】
ＬＥＤ、ＬＣＤの点灯状態を制御する制御回路は、具体的にはＣＰＵ基板２２から電源をＯＦＦする制御信号を受けてＬＥＤやＬＣＤの電源を遮断するように動作するスイッチ回路で構成される。この場合、ＬＣＤについては、ＬＣＤの電源を遮断する代わりに、ＣＰＵ基板２２から電源をＯＦＦする制御信号を受けてＬＣＤの輝度を低下するように動作する制御回路としても良い。
【００２０】
図３は、本実施形態の人感センサ２３を使った送信制御部１の動作フローチャートを示したものである。この動作処理は、ＣＰＵ基板２２に搭載された記憶手段に記憶されたプログラムをＣＰＵ基板２２に搭載されたマイクロコンピュータが実行することにより実現する。
【００２１】
（ステップＳ１）
まず、ＦＰＵ送信機の送信制御部１の電源スイッチ３がＯＮされるとＬＥＤ／ＬＣＤ制御機能がスタートする。
【００２２】
（ステップＳ２）
次に、ステップＳ２において、人感センサ２３が人を検知したか否かがチェックされる。
（ステップＳ３）
人感センサ２３が人を検知していないとき（ステップＳ２のＮＯ）、ＣＰＵ基板２２から表示パネル基板２０に警告表示ＬＥＤ１１、設定モード表示ＬＥＤ１２、数値表示ＬＥＤ１３、動作表示ＬＥＤ１５、１７とＬＣＤ１０をＯＦＦするＯＦＦ指令信号が出力される。表示パネル基板２０に搭載された制御回路はＣＰＵ基板２２からのＯＦＦ指令信号を受けて、電源基板２１からのＬＥＤとＬＣＤ用電力を遮断して消灯する。この場合、ＬＥＤについては、すべてのＬＥＤを消灯しても良いが、全てのＬＥＤを消灯するのではなく、電源表示用ＬＥＤ４だけは点灯しておき、ＦＰＵ送信機の送信制御部１が省電力状態にあることを示すようにしておくと良い。更に、電源表示用ＬＥＤ４の発光色が変わるようにしておけば省電力状態にあることが認識しやすい。また、ＬＣＤ１０に対して輝度を下げて供給電力を低減するように制御するようにしても良い。
【００２３】
（ステップＳ４）
一方、人感センサ２３が人を検知したとき（ステップＳ２のＹＥＳ）は、表示パネル基板２０の制御回路はＣＰＵ基板２２からの制御信号を受けて、電源基板２１からの電力により表示パネル基板２０上のＬＥＤ、ＬＣＤを点灯し、オペレータが受信状況や機器状態を監視可能にする。
【００２４】
本実施の形態によれば、ＦＰＵ送信機の送信制御部１の前に人がいないとき表示パネル基板２０上のＬＥＤとＬＣＤが消灯され、あるいはＬＣＤの輝度が下げられて省電力化を図ることができる。また、ＦＰＵ送信機の送信制御部１の前に人がいるときは、表示パネル基板２０上のＬＥＤとＬＣＤが点灯するので、受信状況や機器状態を監視し、必要な処置を講ずることができる。
【００２５】
（第２の実施形態）
次に、本発明を実施するための第２の実施形態を、図４〜図６を参照して具体的に説明する。
本発明による第２の実施形態は、放送機器であるＦＰＵ送信機の送信制御部３１（従来の送信制御部１１１に対応する）の近傍に担当オペレータがいてＦＰＵ送信機の送信制御部３１を監視しているとき、この担当オペレータの存在をＲＦＩＤ（Radio
Frequency IDentification）リーダ３２、ＲＦＩＤタグ３３で感知してＦＰＵ送信機の送信制御部３１の表示パネル基板２０に搭載されたＬＥＤやＬＣＤを点灯状態にし、監視が必要なく担当オペレータが席を外しているときはこれら警告表示ＬＥＤ１１、設定モードＬＥＤ、数値表示ＬＥＤ１３、動作表示ＬＥＤ１５、１７やＬＣＤ１０を消灯状態にして省電力化するものである。第１の実施形態では、単に人の存在を検知してＬＥＤやＬＣＤの点灯状態を制御したが、人を感知しても担当オペレータかどうかは不明である。そこで本実施形態では担当オペレータを識別して、担当オペレータ以外の人がいてもＬＥＤやＬＣＤを点灯しないようにし、より省電力の効率を向上するようにしたものである。
【００２６】
図４は、本発明による第２の実施形態の制御構成を示したものである。本実施の形態は第１の実施形態に対し、人感センサ２３をＲＦＩＤリーダ３２とＲＦＩＤタグ３３に置き換えたものである。その他の構成は第１の実施形態と同じである。
【００２７】
ＲＦＩＤリーダ３２とＲＦＩＤタグ３３を用いたＲＦＩＤシステムは、近年、通信距離が数ｍのＲＦＩＤシステムも実用化されているので、これら公知のＲＦＩＤシステムを使用することができる。ＲＦＩＤタグ３３としては、担当オペレータのネームプレートなどに組み込んで利用することができる。ＲＦＩＤリーダ３２はＦＰＵ送信機の送信制御部３１に組み込むことができ、あるいはオペレータルームの入口に入退室ゲートとして設けるなどＦＰＵ送信機の送信制御部３１の外部に設けることもできる。
【００２８】
ＲＦＩＤタグ３３には担当オペレータの識別コードが記憶されており、ＲＦＩＤリーダ３２はこの識別コードを読み取ることにより担当オペレータが放送機器の近傍にいることを検知する。この検知信号はＣＰＵ基板２２に送られ、上記第１の実施形態と同様に警告表示ＬＥＤ１１、設定モード表示ＬＥＤ１２、数値表示ＬＥＤ１３、動作表示ＬＥＤ１５、１７やＬＣＤ１０の点灯状態を制御する。
【００２９】
図５は、ＲＦＩＤリーダ３２とＲＦＩＤタグ３３を使った本実施形態の動作フローチャートを示したものである。この動作処理は、ＣＰＵ基板２２に搭載された記憶手段に記憶されたプログラムをＣＰＵ基板２２に搭載されたマイクロコンピュータが実行することにより実現する。
【００３０】
（ステップＳ１１）
まず、送信制御部３１の電源スイッチ４がＯＮされるとＬＥＤ／ＬＣＤ制御機能がスタートする。
【００３１】
（ステップＳ１２）
次に、ステップＳ１２において、ＲＦＩＤリーダ３２がＲＦＩＤタグ３３からの担当オペレータの識別コードを検知したか否かがチェックされる。
【００３２】
（ステップＳ１３）
ＲＦＩＤリーダ３２が担当オペレータの識別コードを検知していないとき（ステップＳ１２のＮＯ）、ＣＰＵ基板２２から表示パネル基板２０にＬＥＤとＬＣＤをＯＦＦするＯＦＦ指令信号が出力される。表示パネル基板２０の制御回路はＣＰＵ基板２２からのＯＦＦ指令信号を受けて、電源基板２１からの警告表示ＬＥＤ１１、設定モード表示ＬＥＤ１２、数値表示ＬＥＤ１３、動作表示ＬＥＤ１５、１７とＬＣＤ１０の電力を遮断して消灯する。この場合、表示パネル基板２０の制御回路は、ＬＣＤ１０に対して輝度を下げて供給電力を低減するように制御するようにしても良い。また、ＬＥＤについては、すべてのＬＥＤを消灯するのではなく、電源表示用ＬＥＤだけは点灯しておき、送信制御部３１が省電力状態にあることを示すようにしても良い。更に、電源表示用ＬＥＤ４の発光色が変わるようにしておけば省電力状態にあることが認識しやすい。また、ＬＣＤ１０に対して輝度を下げて供給電力を低減するように制御するようにしても良い。
【００３３】
（ステップＳ１４）
一方、ＲＦＩＤリーダ３２が担当オペレータの識別コードを検知したとき（ステップＳ１２のＹＥＳ）は、表示パネル基板２０の制御回路はＣＰＵ基板２２からのＬＥＤ、ＬＣＤをＯＮするＯＮ指令信号を受けて、電源基板２１からの電力により表示パネル基板２０上の警告表示ＬＥＤ１１、設定モード表示ＬＥＤ１２、数値表示ＬＥＤ１３、動作表示ＬＥＤ１５、１７とＬＣＤ１０を点灯し、オペレータが受信状況や機器状態を監視可能にする。この場合、電源表示用ＬＥＤ４も正常表示に復帰する。
【００３４】
本実施の形態によれば、担当オペレータが不在のとき、送信制御部３１の表示パネル基板２０上のＬＥＤとＬＣＤが消灯され、あるいはＬＣＤの輝度が下げられて省電力化を図ることができる。また、担当オペレータが在席しているときは、送信制御部３１の表示パネル基板２０上のＬＥＤとＬＣＤが点灯するので、受信状況や機器状態を監視し、必要な処置を講ずることができる。
【００３５】
（第３の実施形態）
本実施形態は、人がＦＰＵ送信機の送信制御部１の近傍にいることを人感センサが感知し、且つＦＰＵ送信機の送信制御部１が送信状態にあるときに表示パネル基板２０上のＬＥＤ、ＬＣＤを点灯し、ＦＰＵ送信機の送信制御部１が送受信状態にないか、あるいは人がＦＰＵ送信機の送信制御部１の近傍にいなときに表示パネル基板２０上のＬＥＤ、ＬＣＤを消灯するようにしたものである。その他は第１の実施形態と同様である。
この場合、人感センサの代わりに、第２の実施形態で使用するＲＦＩＤリーダ３２とＲＦＩＤタグ３３を使用して担当オペレータを検知しても良い。
また、ＦＰＵ機器がＦＰＵ受信機の場合は、人が近傍に存在し且つ受信状態にあるときに表示パネル基板上のＬＥＤ、ＬＣＤを点灯し、受信信状態にないか、あるいは人が近傍にいなときに表示パネル基板上のＬＥＤ、ＬＣＤを消灯するようにしてもよい。
【００３６】
本実施形態では、ＦＰＵ送信機の送信制御部１に送信電力を検知する送信電力検知手段を設け、更に、送信電力検知手段が送信電力を検知しているとき人感センサ２３の検知信号、あるいはＲＦＩＤリーダ３２からの検知信号を有効な検知信号として取り込むＡＮＤゲート回路を設け、このＡＮＤゲート回路の出力信号により表示パネル基板２０上のＬＥＤ、ＬＣＤを点灯状態に制御するようにすれば良い（ＦＰＵ機器がＦＰＵ受信機の場合は受信電力検知手段を設け、同様に実施できる）。
【００３７】
この場合の動作処理は図３、図５の動作フローチャートにおいて、ステップＳ１とステップＳ２の間、あるいはステップＳ１１とステップＳ１２の間に、上記送信電力検知手段による人感センサ２３の検知信号の遮断手段（上記ＡＮＤゲート回路）、あるいはＲＦＩＤリーダ３２の検知信号の遮断手段（上記ＡＮＤゲート回路）による信号制御のステップ処理を設け、上記送信電力検知手段が送信電力を検知していないときは人感センサ２３の検知信号を遮断するか、あるいはＲＦＩＤリーダ３２の検知信号を遮断する。それ以外は図３、図５の動作フローチャートと同様に実施できるので、詳細な動作説明は省略する。
【００３８】
このようにすると、送信電力検知手段が送信電力を検知していないときは、人感センサ２３やＲＦＩＤリーダ３２の検知信号の有無によらずＬＥＤやＬＣＤは消灯する。これにより、送信制御部の近傍にオペレータがいても監視の必要のない無送信状態のときはＬＥＤやＬＣＤが点灯しないようにできるので、より省電力を図ることができる。
【００３９】
以上の実施態様の特徴を纏めると次のようになる。
（１）上記放送機器は、放送設備に使用され、表示パネルに電波の送／受信状態、あるいは放送機器の動作状態を表示する表示器を備えた放送機器であって、前記放送機器の近傍に存在する人を検知する人物検知手段と、前記人物検知手段が人の存在を検知したとき、前記表示パネルに備わる前記表示器の点灯状態を制御する表示器点灯状態制御手段を備えたことを特徴とする。
（２）また、上記放送機器は、表示器がＬＥＤ又はＬＣＤであることを特徴とする。
（３）また、上記放送機器は、人物検知手段が人感センサ又はＲＦＩＤリーダ／タグであることを特徴とする。
（４）また、上記放送機器は、人物検知手段が人を検知していないとき、表示器点灯状態制御手段が表示器を消灯させることを特徴とする。
（５）また、上記放送機器は、人物検知手段が人を検知していないとき、表示器点灯状態制御手段がＬＣＤの輝度を低下させることを特徴とする。
（６）また、上記放送機器は、表示器点灯状態制御手段が送信電力検知手段を備え、送信電力検知手段が送信電力を検知し且つ人物検知手段が人を検知したとき、表示器点灯状態制御手段が表示器を点灯させることを特徴とする。
（７）また、上記放送機器は、表示器点灯状態制御手段が受信電力検知手段を備え、受信電力検知手段が受信電力を検知し且つ人物検知手段が人を検知したとき、表示器点灯状態制御手段が表示器を点灯させることを特徴とする。
（８）また、上記放送機器は、ＦＰＵ機器であることを特徴とする。
【００４０】
以上の実施の形態で本発明を具体的に説明したが、本発明は上記実施形態に限定されないことは言うまでもない。例えば、上記実施形態では、人を検知する人物検知手段として人感センサやＲＦＩＤリーダ／タグの例を挙げたが、人の存在を検知することができれば人物検知手段としては上記例に限定されない。また、放送機器としてＦＰＵの送信制御部の例をあげて具体的に説明したが、これに限定されず、受信制御部、送信高周波部、受信高周波部、遠隔監視制御装置、その他の放送機器に同様に適用できる。また、上記実施形態で説明した表示器としてのＬＥＤやＬＣＤの種類、数、配置などは例示であって、これら例に限定されない。また、ＬＥＤ、ＬＣＤの一方のみ備えている放送機器であっても本発明を適用することができる。また、ＬＥＤの代わりに白熱豆電球などを使用したものであっても良い。また、ＬＣＤの代わりに有機ＥＬディスプレイ、プラズマディスプレイ、ＣＲＴなどの映像表示器を使用したものであっても良い。
【符号の説明】
【００４１】
１・・・送信制御部
２・・・表示パネル
３・・・電源スイッチ
４・・・電源表示用ＬＥＤ
５・・・チャネル設定スイッチ
６・・・変調方式設定スイッチ
７・・・プリセットスイッチ
８・・・送信出力切換スイッチ
９・・・データ入力キー
１０・・・ＬＣＤ（Liquid Cristal Display：液晶表示器）
１１・・・警告表示ＬＥＤ
１２・・・設定モード表示ＬＥＤ
１３・・・数値表示ＬＥＤ
１４・・・ＬＣＤ表示切換ボタン
１５・・・動作表示ＬＥＤ
１６・・・操作モード切換ボタン
１７・・・動作表示ＬＥＤ
２０・・・表示パネル基板
２１・・・電源基板
２２・・・ＣＰＵ基板
２３・・・人感センサ
３０・・・表示パネル基板
３１・・・送信制御部
３２・・・ＲＦＩＤ（Radio Frequency IDentification）リーダ
３３・・・ＲＦＩＤ（Radio Frequency IDentification）タグ
１１０・・・ＦＰＵ（Field Pickup Unit）送信機
１１１・・・送信制御部
１１２・・・送信高周波部
１１３・・・送信アンテナ
１２０・・・ＦＰＵ（Field Pickup Unit）受信機
１２１・・・受信アンテナ
１２２・・・受信高周波部
１２３・・・受信制御部
【図１】
2010273184.tif 000003
【図２】
2010273184.tif 000004
【図３】
2010273184.tif 000005
【図４】
2010273184.tif 000006
【図５】
2010273184.tif 000007
【図６】
2010273184.tif 000008
【図７】
2010273184.tif 000009